(57)【特許請求の範囲】
【請求項１】
多数のプリーツで区画される細巾で長尺のネット基体を、該プリーツにおいて交互に逆向きに折り返すことにより、アコーディオン式に伸縮自在とした防虫ネットであって、
少なくとも、周面に低融点樹脂が被覆されている芯鞘構造糸と、折曲容易な合成樹脂繊維を束ねた繊維束とを用いて、ラッセル編みにより多数の縦方向糸と横方向糸を持つ格子構造に編組してなり、
縦方向糸中の複数の上記芯鞘構造糸のうちの一部及び上記繊維束は、１または複数列離れた縦方向糸間で、相互の縦方向糸に絡ませたうえで往復させることにより、横方向糸を形成させ、
それによって、上記ネット基体を、上記芯鞘構造糸を主体として、該糸が全縦方向糸及び全横方向糸中に含まれるように編組したネットとして構成すると共に、隣接する該ネット基体の側端の縦方向糸間のみに上記繊維束のみからなる横方向糸が配置されるように編組し、
該芯鞘構造糸を上記低融点樹脂の熱溶融により相互に溶着させ、ネット基体に保形性を付与した、
ことを特徴とする網戸用防虫ネット。
【請求項２】
芯鞘構造糸の芯を構成する糸が、上記繊維束を構成する合成樹脂繊維に比して数倍の太さを有する、
ことを特徴とする請求項１に記載の網戸用防虫ネット。
【請求項３】
上記縦方向糸は、少なくとも、それに含まれる上記芯鞘構造糸の数が横方向糸に含まれる芯鞘構造糸の数の２倍以上である、
ことを特徴とする請求項１または２に記載の網戸用防虫ネット。
【請求項４】
上記隣接するネット基体の側端の縦方向糸間に、相互の該縦方向糸に絡ませたうえでその間を往復する上記繊維束がある、
ことを特徴とする請求項１〜３のいずれかに記載の網戸用防虫ネット。
【請求項５】
多数のプリーツで区画される細巾で長尺のネット基体を、該プリーツにおいて交互に逆向きに折り返すことにより、アコーディオン式に伸縮自在とする防虫ネットの製造方法であって、
少なくとも、周面に低融点樹脂が被覆されている芯鞘構造糸と、折曲容易な合成樹脂繊維を束ねた繊維束とを用いて、ラッセル編みにより多数の縦方向糸と横方向糸を持つ格子構造に編組し、
上記編組に際し、縦方向糸中の複数の上記芯鞘構造糸のうちの一部及び上記繊維束は、１または複数列離れた縦方向糸間で、相互の縦方向糸に絡ませたうえで往復させることにより、横方向糸を形成させ、
それによって、上記ネット基体を、上記芯鞘構造糸を主体として、該糸が全縦方向糸及び全横方向糸中に含まれるように編組したネットとして構成すると共に、隣接する該ネット基体の側端の縦方向糸間のみに上記繊維束のみからなる横方向糸が配置されるように編組し、
その後、上記低融点樹脂が溶融する温度で熱処理を施すことにより、上記芯鞘構造糸を相互に溶着させて、ネット基体に保形性を付与し、
次いで、上記多数のネット基体をそれらの間で交互に逆向きに折曲し、熱処理によりその折曲状態に癖付けする、
ことを特徴とする網戸用防虫ネットの製造方法。
【請求項６】
上記編組に際し、芯鞘構造糸の芯を構成する糸が、上記繊維束を構成する合成樹脂繊維に比して数倍の太さを有するものを用いる、
ことを特徴とする請求項５に記載の網戸用防虫ネットの製造方法。
【請求項７】
上記編組に際し、上記縦方向糸を、少なくとも、それに含まれる上記芯鞘構造糸の数を横方向糸に含まれる芯鞘構造糸の数の２倍以上とする、
ことを特徴とする請求項５または６に記載の網戸用防虫ネットの製造方法。
【発明の詳細な説明】
【技術分野】
【０００１】
本発明は、多数のプリーツを施すことによりアコーディオン式に伸縮自在とした網戸用防虫ネット及びその製造方法に関するものである。
【背景技術】
【０００２】
多数のプリーツを施すことによりアコーディオン式に伸縮自在とした防虫ネットは、ポリエステル繊維、ポリプロピレン繊維等からなる糸条を用いて、縦糸と横糸を織り合わせ、または編み合わせることにより、所要のメッシュのネットを形成し、しかる後に、熱及び圧力等によって縦方向に折り目のある多数のプリーツを形成し、折り畳み自在となるように構成している。
そして、このアコーディオン式に伸縮自在の防虫ネットでは、プリーツ間の平面部分を構成するネット基体に、ある程度の風圧に耐える平面保形性が要求される一方で、プリーツの部分には、当該ネットの開閉操作時におけるスムースな伸縮動作に必要な屈曲柔軟性を要求される。【０００３】
しかしながら、従来の防虫ネット、特に所要のメッシュの縦横方向に均等の平面状ネットを細幅で交互に逆方向に折り曲げて熱処理でプリーツを形成したネットでは、プリーツ間の平面部分を構成するネット基体の平面保形性が十分とは言えず、また、プリーツの部分の屈曲柔軟性も満足できるものではなく、そのために防虫ネットの開閉操作時にきれいな山形を形成するようなジグザク形状が得られ難いという問題があり、美観が劣ると共にスムーズな折り曲げにも支障があった。【０００４】
一方、上記プリーツ部分に十分な屈曲柔軟性を付与した防虫ネットは、日本の特許第３３２３８２９号として既に知られている。この公知の防虫ネットは、隣接する上記ネット基体の側端間を、該ネット基体を構成する糸条よりも折曲容易な別異の糸条からなる連結糸で連結し、その連結部分に上記プリーツを形成したものであるが、風圧に耐える網戸用ネットとするために、該ネット基体の平面保形性をより一層高めることが望まれている。【０００５】
このような要求を満たす網戸用ネット、つまり風圧に耐えるネットを得るためには、上記ネット基体を構成する糸条の強度を高めるなどの手段でその平面保形性を高めることになるが、その手段が新たな欠点を発生させるものであってはならない。例えば、単純に糸条の太さを大きくする場合には、ネットの重量や折り畳んだ際の厚さが増すことになり、望ましくない。【０００６】
また、上記ネット基体は、単純にその縦横の平面保形性を均等に高めることが望ましいとは限らず、風圧に対する強度を得るためには、ネット基体の縦方向の平面保形性を高めるのが有効であり、特に、隣接するネット基体の側端の縦方向糸間にのみ屈曲柔軟性を付与して、そこをネットの折曲位置とする場合には、該ネット基体の横方向の高い平面保形性は、ネットの開閉のために十分な屈曲柔軟性を持たせた部分に対して過度の変形力を与える可能性があり、ネットのプリーツ部分の耐久性に対して悪い影響を及ぼす可能性が大である。
【発明の開示】
【０００７】
本発明の技術的課題は、アコーディオン式に伸縮自在とした防虫ネットのネット基体を、適切な手段により平面保形性が優れたものとして、風圧に対する強度を持たせ、また、開閉操作時におけるスムースな伸縮のための屈曲動作を得ることができる網戸用防虫ネット及びその製造方法を提供することにある。
本発明の他の技術的課題は、防虫ネットの風圧に対する強度を得るためには、ネット基体の縦方向の平面保形性を高めるのが有効であり、横方向の高い平面保形性は隣接するネット基体間の屈曲部分に過度の変形力を与えるなどの悪い影響を及ぼす可能性があることから、ネット基体の縦横方向の平面保形性に容易に変化を与えることができるようにした網戸用防虫ネット及びその製造方法を提供することにある。
【０００８】
上記課題を解決するため、本発明の網戸用防虫ネットは、多数のプリーツ部で区画される細巾で長尺のネット基体を、該プリーツ部において交互に逆向きに折り返すことにより、アコーディオン式に伸縮自在としたネットであって、少なくとも、周面に低融点樹脂が被覆されている芯鞘構造糸と、折曲容易な合成樹脂繊維を束ねた繊維束とを用いて、ラッセル編みにより多数の縦方向糸と横方向糸を持つ格子構造に編組してなり、縦方向糸中の複数の上記芯鞘構造糸のうちの一部及び上記繊維束は、１または複数列離れた縦方向糸間で、相互の縦方向糸に絡ませたうえで往復させることにより、横方向糸を形成させ、それによって、上記ネット基体を、上記芯鞘構造糸を主体として、該糸が全縦方向糸及び全横方向糸中に含まれるように編組したネットとして構成すると共に、隣接する該ネット基体の側端の縦方向糸間のみに上記繊維束のみからなる横方向糸が配置されるように編組し、該芯鞘構造糸を上記低融点樹脂の熱溶融により相互に溶着させ、ネット基体に保形性を付与したことを特徴とするものである。
【０００９】
本発明の網戸用防虫ネットの好ましい実施形態においては、上記芯鞘構造糸の芯を構成する糸が、上記繊維束を構成する合成樹脂繊維に比して数倍の太さを有するものとして構成され、また、上記縦方向糸は、少なくとも、それに含まれる上記芯鞘構造糸の数が横方向糸に含まれる芯鞘構造糸の数の２倍以上であるものとして構成される。
本発明の網戸用防虫ネットにおいては、上記隣接するネット基体の側端の縦方向糸間に、相互の該縦方向糸に絡ませたうえでその間を往復する上記繊維束を配設することができる。
【００１０】
また、本発明の網戸用防虫ネットの製造方法は、多数のプリーツ部で区画される細巾で長尺のネット基体を、該プリーツ部において交互に逆向きに折り返すことにより、アコーディオン式に伸縮自在とする防虫ネットの製造方法であって、少なくとも、周面に低融点樹脂が被覆されている芯鞘構造糸と、折曲容易な合成樹脂繊維を束ねた繊維束とを用いて、ラッセル編みにより多数の縦方向糸と横方向糸を持つ格子構造に編組し、上記編組に際し、縦方向糸中の複数の上記芯鞘構造糸のうちの一部及び上記繊維束は、１または複数列離れた縦方向糸間で、相互の縦方向糸に絡ませたうえで往復させることにより、横方向糸を形成させ、それによって、上記ネット基体を、上記芯鞘構造糸を主体として、該糸が全縦方向糸及び全横方向糸中に含まれるように編組したネットとして構成すると共に、隣接する該ネット基体の側端の縦方向糸間のみに上記繊維束のみからなる横方向糸が配置されるように編組し、その後、上記低融点樹脂が溶融する温度で熱処理を施すことにより、上記芯鞘構造糸を相互に溶着させて、ネット基体に保形性を付与し、次いで、上記多数のネット基体をそれらの間で交互に逆向きに折曲し、熱処理によりその折曲状態に癖付けすることを特徴とするものである。
上記芯鞘構造糸の芯を構成する糸は、上記繊維束を構成する合成樹脂繊維に比して数倍の太さを有するものとし、また、上記縦方向糸は、少なくとも、それに含まれる上記芯鞘構造糸の数を横方向糸に含まれる芯鞘構造糸の数の２倍以上とすることが望まれる。
【００１１】
上記構成を有する本発明の網戸用防虫ネットは、上記ネット基体を構成する糸条を、周面に低融点樹脂が被覆されている芯鞘構造糸を主体として、該糸が全縦方向糸及び全横方向糸中に含まれるように編組したネットとして構成し、該芯鞘構造糸を上記低融点樹脂の熱溶融により相互に溶着させているので、該糸の配置量に応じてネット基体に適度の平面保形性を付与することができ、しかも、ネット基体の縦横方向の平面保形性に容易に変化を与えることができる。また、隣接するネット基体の側端の縦方向糸間にのみ上記繊維束のみからなる横方向糸が配置されるように編組しているので、上記芯鞘構造糸における低融点樹脂の熱処理によりそれらを相互に溶着しても、ネットのプリーツ部の屈曲柔軟性を損なうことはない。
【００１２】
更に、上記ネット基体は、縦方向の平面保形性を高めているので、その保形性が風圧に対する強度を高めるために有効に作用し、一方、ネット基体の横方向の平面保形性に関しては、隣接するネット基体の側端の縦方向糸間にのみ十分な屈曲柔軟性を付与して、そこをネットの折曲位置としてシャープに折曲されるようにしているので、該ネット基体の横方向の高い平面保形性を与えて折曲部分に過度の変形力が集中するのを抑止する必要があり、風圧に対する変形の抑制にもさほど貢献しないことから、該ネット基体における横方向の保形性を適宜調整できるようにし、縦方向の平面保形性よりも低くできるようにしていることは、防虫ネットとして非常に有効なことである。そして、上記ネット基体間の折曲部分のシャープな折曲により、防虫ネットを均一できれいな山形状を形成するようなジグザクに折り畳むことができ、美観に優れた網戸用防虫ネットを得ることができる。
【図面の簡単な説明】
【００１３】
【図１】本発明に係る網戸用防虫ネットの全体構成を示す斜視図である。
【図２】本発明に係る網戸用防虫ネットの一実施例を示す要部拡大正面図である。
【図３】図２における芯鞘構造糸を省いた繊維束及び鎖状の糸条の編組状態を示す模式図である。
【符号の説明】
【００１４】
１            防虫ネット
３            ネット基体
４            プリーツ部
６            芯鞘構造糸
７，７ａ      繊維束
８            縦方向糸
９            横方向糸
１０            鎖状の糸条
【発明を実施するための最良の形態】
【００１５】
図１は、本発明に係る網戸用防虫ネットの全体的構成を示している。
この防虫ネット１は、アコーディオン式に伸縮するネットを横引きにより開閉する防虫網戸に適用するもので、多数のプリーツ部４で区画され、糸条をラッセル編みすることにより形成された細巾で長尺の格子構造を持つ平面状のネット基体３を、上記プリーツ部４において十分な屈曲柔軟性を持つように連結し、該プリーツ部４において交互に逆方向に折り返すことにより、アコーディオン式に伸縮自在としたものである。上記ネット基体３は、後述するように、風圧に耐え得る程度の平面保形性（かたさ）を備えるように編組されたものである。【００１６】
図２は、本発明に係る網戸用防虫ネットの一実施例の詳細を示すもので、上記防虫ネット１は、少なくとも、周面に低融点樹脂が被覆されている芯鞘構造糸６と、折曲容易な合成樹脂繊維を束ねた繊維束７とを用いて、ラッセル編みにより多数の縦方向糸８と横方向糸９を持つ格子構造に編組している。この格子構造のネット基体３には、本発明の趣旨を損なわない範囲内において、第３の糸または繊維束を付加して編組することができる。【００１７】
上記芯鞘構造糸６としては、例えば、ポリエステルを芯材とし、低融点の変成ポリエステルを鞘部として被覆したものを用いることができ、その芯材を構成する鞘部よりも高融点樹脂の糸は、上記繊維束７を構成する合成樹脂繊維に比して数倍の太さを有するものが用いられる。
また、上記繊維束７を構成する合成樹脂繊維としては、ポリエステル繊維、ポリプロピレン繊維等の折曲容易な合成樹脂繊維が束ねて用いられる。【００１８】
上記ネット基体３は、上記芯鞘構造糸６を主体として、該糸６が全縦方向糸８及び全横方向糸９中に含まれるように編組したネットとして構成され、該縦方向糸８は、該芯鞘構造糸６を鎖状に編んだ糸条１０を含み、しかも、少なくとも該縦方向糸８に含まれる上記芯鞘構造糸６の数が、上記鎖状の糸条１０を構成する芯鞘構造糸６を含めて、横方向糸９に含まれる芯鞘構造糸６の数の２倍以上、望ましくは数倍以上になるように編組し、また、隣接する上記ネット基体３の側端の縦方向糸８間のみに、上記繊維束７のみからなる横方向糸９が配置されるように編組し、それによりプリーツ部４の部分においてネット基体３を上記繊維束７のみで連結している。【００１９】
更に詳述すると、上記ネット基体３は、図２に示すように、上記縦方向糸８に含まれる芯鞘構造糸６の鎖状の糸条１０に、他の芯鞘構造糸６（図２中に太線で示す。）及び前記繊維束７（図２中に細線で示す。）を絡ませて、それらの芯鞘構造糸６のうちの一部及び上記繊維束７を、１または複数列離れた縦方向糸８間で、図示の例では２列離れた縦方向糸８間で、相互の縦方向糸８に絡ませたうえで往復させることにより、横方向糸９を形成させ、その際、隣接する上記ネット基体３の側端の縦方向糸８間には、上記繊維束７のみからなる横方向糸９が配置されるように編組している。この編組に際しては、上記隣接するネット基体３の側端の縦方向糸８間に、相互の該縦方向糸８に絡ませたうえでその間を往復する繊維束７ａを設けることができる。図３は上述した編組によって得られる組織における繊維束７のみの編組状態を示すものである。
なお、上記鎖状の糸条１０は、適宜組織で編組されたものでよく、更にそれに絡ませる芯鞘構造糸６とは完全に別異のものとする必要はなく、該芯鞘構造糸６と適宜交錯させることもできる。【００２０】
上記編組によって得られる防虫ネットにおける横方向糸９は、図２からわかるように、縦方向糸８に一定ピッチの間で絡ませたうえで、１または複数列（例えば２乃至３列）離れた縦方向糸８との間で往復させる芯鞘構造糸６及び繊維束７により形成されたものであり、そのため、図示のように各縦方向糸８に絡ませた芯鞘構造糸６及び繊維束７を、何列離れた縦方向糸８間において往復させるかによって、あるいは、それらの芯鞘構造糸６の本数や繊維束７を構成する繊維の本数を適切に設定することによって、横方向糸９の縦方向糸８に対する強度を設定することができ、またその強度も横方向糸９内で部分的に上記芯鞘構造糸６の本数や繊維束７の繊維の本数を変えることによって、プリーツ部４に近い部分の保形性を若干低下させるなどを容易に選択することができる。【００２１】
また、従来から用いられている防虫用ネットでは、それをラッセル編みによって編組する場合、上記横方向糸９の方向、即ちプリーツ部４に直交する方向に編組を進行するのが一般的であるが、この場合、ラッセル編み機の編み幅によって防虫ネットの上下方向の長さが規制されることになる。しかるに、上述した態様で芯鞘構造糸６及び繊維束７をラッセル編みにより編組する場合には、上記縦方向糸８の方向に編組を進行させることになり、そのため、防虫ネットの上下方向の長さを自由に設定でき、各種サイズの防虫網戸を容易に提供することができて、網戸に多様性を持たせることができる。【００２２】
上記ネット基体３は、上記芯鞘構造糸６を主体として、該糸６が全縦方向糸８及び全横方向糸９中に含まれるように編組したネットとして構成され、その芯鞘構造糸６と共に用いられる繊維束７は、横方向糸９の縦方向糸８に対する強度を設定すると共に、隣接する該ネット基体３の側端の縦方向糸８間にプリーツ部４を形成するために用いられるものである。従って、上記ネット基体３が芯鞘構造糸６を主体として構成されるという説明は、このような意味において理解されるべきである。【００２３】
上述のようにして、芯鞘構造糸６と繊維束７とを用いてラッセル編みにより多数の縦方向糸８と横方向糸９を持つ格子構造に編組し、それによって、芯鞘構造糸を主体とするネット基体６の側端の縦方向糸８間に上記繊維束７からなる横方向糸９が配置された平面状の防虫ネット１が編組される。
そして、その編組後に上記芯鞘構造糸６の低融点樹脂が溶融する温度で第１の熱処理を施すことにより、上記芯鞘構造糸６の鞘部を相互に溶着させて、ネット基体３に平面保形性が付与される。この第１の熱処理を行った段階では、平面保形性を付与された隣接するネット基体３が屈曲容易な繊維束７で連結された状態にあり、次いで、上記多数のネット基体３をそれらの間で交互に逆向きに折曲したうえで、第２の熱処理を行うことにより、ネット基体３間がその折曲状態に癖付けされ、すなわち、プリーツ部４が形成される。【００２４】
上記構成を有する網戸用防虫ネットは、上記ネット基体３を構成する糸条を、周面に低融点樹脂が被覆されている芯鞘構造糸６を主体として、該糸が全縦方向糸及び全横方向糸中に含まれるように編組したネットとして構成し、該芯鞘構造糸６を上記低融点樹脂の熱溶融により相互に溶着させているので、該糸６の配置量に応じてネット基体３に適度の平面保形性を付与することができる。しかも、上述したラッセル編みによれば、横方向糸９として配置する芯鞘構造糸６の本数や繊維束７の量によって、ネット基体３の縦横方向の平面保形性に容易に変化を与えることができる。また、隣接するネット基体３の側端の縦方向糸８間にのみ上記繊維束７のみからなる横方向糸９が配置されるように編組しているので、上記芯鞘構造糸６における低融点樹脂の熱処理によりそれらを相互に溶着しても、ネットのプリーツ部４の屈曲柔軟性を損なうことはない。【００２５】
更に、上記ネット基体３は、縦方向の平面保形性を高めているので、その保形性が風圧に対する強度を高めるために有効に作用することになる。
一方、ネット基体３の横方向の平面保形性に関しては、隣接するネット基体３の側端の縦方向糸８間にのみ十分な屈曲柔軟性を付与して、そこをネットの折曲位置としてシャープに折曲されるようにしているので、該ネット基体３の横方向の高い平面保形性を与えて折曲部分に過度の変形力が集中するのを抑止する必要があり、また、上記横方向の平面保形性は、風圧に対する変形の抑制にもさほど貢献しないことから、該ネット基体３における横方向の保形性を適宜調整できるようにし、縦方向の平面保形性よりも低くできるようにして編組していることは、防虫ネットとして非常に有効なことである。そして、上記ネット基体３間の折曲部分のシャープな折曲により、防虫ネットを均一できれいな山形状を形成するようなジグザクに折り畳むことができ、美観に優れた網戸用防虫ネットを得ることができる。  
【図１】
0004693776.tif 000002
【図２】
0004693776.tif 000003
【図３】
0004693776.tif 000004